Podtech/llm-jp-corpus-v4-ja_patent huggingface dataset:
(57)【要約】【課題】  ボイラーにおいて使用後のドレンを、ポンプを使用することなくボイラーに還流することのできる方法及び装置を提供することを目的とするものである。【解決手段】  本発明の方法は、ボイラーにおける使用後の蒸気が凝縮したドレンをドレンタンクに貯蔵し、当該ドレンタンク内に圧縮空気を挿入することにより、ドレンタンク内のドレンをボイラーに還流することを特徴とするものである。また本発明の装置は、ボイラーにおける使用後の蒸気が凝縮したドレンをドレンタンク内に導入し、当該ドレンタンクにエアーコンプレッサーを接続すると共に、当該ドレンタンクから前記ボイラーにドレンを還流せしめる、還流管を設けたことを特徴とするものである。【選択図】          図１
2015036604.tif 000002
【特許請求の範囲】
【請求項１】
ボイラー（１）における使用後の蒸気が凝縮したドレンをドレンタンク（７）に貯蔵し、当該ドレンタンク（７）内に圧縮空気を挿入することにより、ドレンタンク（７）内のドレンをボイラー（１）に還流することを特徴とする、ドレンの還流方法
【請求項２】
ボイラー（１）における使用後の蒸気が凝縮したドレンをドレンタンク（７）内に導入し、当該ドレンタンク（７）にエアーコンプレッサー（１１）を接続すると共に、当該ドレンタンク（７）から前記ボイラー（１）にドレンを還流せしめる還流管（１２）を設けたことを特徴とする、ドレンを還流する装置
【発明の詳細な説明】
【技術分野】
【０００１】
本発明はクリーニング業などにおいて、機器を加熱するための産業用のボイラーにおいて、使用後の蒸気が凝縮したドレンをボイラーに還流せしめる方法及び、その装置に関するものである。
【背景技術】
【０００２】
従来かかるボイラーにおいてドレンを還流せしめるためには、特開平１１−３２５４０６号公報に示されるように、使用後の凝縮したドレンを、ポンプによってボイラーに還流せしめていたのである。
【０００３】
しかしながらこの方法によれば、ドレンは一応は冷却されて凝縮しているとは言え、１００℃付近の高温を保っており、このような高温のドレンをポンプによって搬送することは、ポンプにとって大きな負担となる。
【０００４】
例えばポンプで高温のドレンを搬送しようとすると、ポンプの羽根の回転により再蒸発が生じ、そこでキャビテーション現象が生じて瞬間的に真空が形成され、羽根が破損するなどの大きな故障の原因となるのである。
【先行技術文献】
【特許文献】
【０００５】
【特許文献１】特開平１１−３２５４０６号公報
【発明の概要】
【発明が解決しようとする課題】
【０００６】
本発明はかかる事情に鑑みなされたものであって、ボイラーにおいて使用後のドレンを、ポンプを使用することなくボイラーに還流することのできる方法及び装置を提供することを目的とするものである。
【課題を解決するための手段】
【０００７】
而して本発明の方法は、ボイラーにおける使用後の蒸気が凝縮したドレンをドレンタンクに貯蔵し、当該ドレンタンク内に圧縮空気を挿入することにより、ドレンタンク内のドレンをボイラーに還流することを特徴とするものである。
【０００８】
また本発明の装置は、ボイラーにおける使用後の蒸気が凝縮したドレンをドレンタンク内に導入し、当該ドレンタンクにエアーコンプレッサーを接続すると共に、当該ドレンタンクから前記ボイラーにドレンを還流せしめる、還流管を設けたことを特徴とするものである。
【発明の効果】
【０００９】
本発明によれば、ドレンをドレンタンクからボイラーに還流させるに際し、ドレンタンクに圧縮空気を送入して当該圧縮空気の圧力により搬送し、ポンプを使用することがないので、前述のようなポンプにとっての負担を生じさせることがない。
【００１０】
また従来はドレンタンク内に水を注入してドレンを冷やしてポンプで搬送していたが、上述のようにポンプに負担を生じさせることがないためかかる冷却操作の必要もなく、高温のドレンをそのままボイラーに還流させることができるので、エネルギー効率が極めて良好となるのである。
【図面の簡単な説明】
【００１１】
【図１】本発明のボイラー装置の概念図である。
【発明を実施するための形態】
【００１２】
以下本発明を図面に基づいて説明する。１はボイラー１であって、水源からポンプ２で送られた水を電磁弁３を介してボイラー１に注入され、当該水は電熱ヒーター４により加熱されるようになっている。
【００１３】
そして当該ボイラー１により得られた蒸気は、上部の蒸気管５を介して、アイロン、ドライヤー、プレス機などの機器類６に供給され、これらの機器類６をそれらの機能に基づいて加熱する。
而して、前記蒸気は前記機器類６において冷却され、凝縮されてドレンとなり、当該ドレンはドレンタンク７に回収され、そこに貯蔵される。
【００１４】
なおドレンがドレンタンク７に戻るときには、回収管９はドレンタンク７内に設けられた蛇管８に接続され、当該蛇管８の先端はドレンタンク７内に開放されており、回収管９内のドレンが急激にドレンタンク７内に解放されることによるドレンハンマーを防止するようになっている。
【００１５】
そして本発明においては、前記ドレンタンク７に電磁弁１０を介してエアーコンプレッサー１１が接続されており、また一方前記ドレンタンク７から前記ボイラー１に電磁弁１３を介してドレンを還流せしめる還流管１２が設けられている。
【００１６】
なお１４は電磁弁１５を介してドレンタンク７に水を補給する補水管であり、１６及び１７はボイラー１及びドレンタンク７内の水を排出する排水管であり、１８はドレンタンク７からオーバーフローしたドレンをオーバーフロータンク１９に蓄えるオーバーフロー管である。
【００１７】
而して本発明においては、電磁弁３を開いてポンプ２からボイラー１に水を供給し、その水を電熱ヒーター４で加熱して蒸発させ、その蒸気を蒸気管５を介して機器類６に供給し、当該機器類６をその機能に応じて加熱する。
【００１８】
そして機器類６において冷却された蒸気は凝縮してドレンとなり、回収管９を介してドレンタンク７に回収され、当該ドレンタンク７内に蓄えられる。もしドレンタンク７内にドレンが溢れるようであれば、オーバーフロー管１８を介してオーバーフロータンク１９に排出される。
【００１９】
而してボイラー１内の水が少なくなれば、電磁弁１０及び電磁弁１３を開いてエアーコンプレッサー１１から圧縮空気をドレンタンク７内に圧入し、ドレンタンク７内のドレンを還流管１２を介してボイラー１に還流せしめる。
エアーコンプレッサー１１からドレンタンク７内に圧入する圧縮空気の圧力は、ボイラー１により生ずる蒸気の圧力より、０．１kg/cm2以上高い圧力とするべきである。
【符号の説明】
【００２０】
１  ボイラー
７  ドレンタンク
１１  エアーコンプレッサー
１２  還流管
【図１】
2015036604.tif 000003
(57)【要約】【課題】自分のストマを見下ろす姿勢になると、腹部の脂肪により皮膚に皺が発生、ストマ粘膜の隆起により下部も見え辛い。皺を伸ばしながら尚且つ粘着剤の付いたパウチを正確な場所に貼りつけることは難しい。しばしば貼り直しを余儀なくされ、パウチを何度も貼り直すことは粘着力低下や皮膚のストレスとなる。本発明はストマにパウチを装着し易くすることを目的とする。【解決手段】ストマを上からの目線１方向からと正面からの視野で２方向から見られるよう鏡を使用する。鏡は裏と表で２枚になっており片面は通常の鏡で、もう１面は拡大鏡を設ける。鏡はどちらの面でも使えるよう回転でき、また見える角度が調整できるよう鏡の両端２か所で支持、その下に台座がある。台座には固定用ベルトを添わせ大腿部に巻きつけるパウチ自己装着補助鏡。【選択図】図１
2015126847.tif 000002
【特許請求の範囲】
【請求項１】
緩やかな扇形の台座に繋がる鏡固定用支柱に鏡を設け片面は拡大鏡とし、台座に面ファスナーを設け大腿部に取り付けるようにしたパウチ自己装着補助鏡。
【発明の詳細な説明】
【技術分野】
【０００１】本発明は自己のストマ（消化管や尿管の疾患などにより、腹部に便又は尿を排泄するために増設された排泄口）にパウチを装着し易くするための補助道具、パウチ装着鏡に関するものである。
【背景技術】
【０００２】従来、腹部にあるストマにパウチを自分自身が装着する際、ストマの粘膜に被さらないよう、円形に切り取られたパウチを全周にぴったりと腹部の皺を伸ばしながら装着する。この時の目線は自分のストマを見下ろす姿勢となる。
【発明の概要】
【発明が解決しようとする課題】
【０００３】自分自身のストマを見下ろす姿勢になると、腹部の脂肪により皮膚に皺が発生する。
また、ストマ粘膜の隆起により下部は見え辛く、皺を伸ばしながら尚且つ粘着剤の付いたパウチを正確な場所に貼りつけることは難しい。しばしば貼り直しを余儀なくされ、パウチを何度も貼り直すことは粘着力低下や皮膚のストレスとなる。パウチ交換の手技は繊細さを求められるが自己管理のできない高齢患者も増加している。
本発明は以上の問題を解決するものである。
【課題を解決するための手段】
【０００４】ストマを上からの目線１方向からと正面からの視野で２方向から見られるよう鏡を使用する。
鏡は裏と表で２枚になっており片面は通常の鏡で、もう１面は拡大鏡、目の悪い方にも大きく写せるようになっている。鏡はどちらの面でも使えるよう回転でき、また見える角度が調整できるよう鏡の両端２か所で支持、その下に台座がある。台座には固定用ベルトを添わせ大腿部に巻きつける。
【発明の効果】
【０００５】大腿部の鏡から映し出されるストマは全周が見えるので皺もできにくく粘膜と皮膚の境目が見えやすくなる。見る視点が２か所になるためより正確にパウチを貼ることが出来る。
【図面の簡単な説明】
【０００６】
【図１】本発明の斜視図
【図２】本発明の使用状態を示す斜視図
【発明を実施するための形態】
【０００７】  以下、本発明の実施の形態を説明する。
（イ）台座（３）は大腿部に沿うよう緩やかな扇型で、鏡（１）を支える鏡固定用支柱（４）を左右に２か所設ける。
（ロ）鏡（１）の裏側に拡大鏡（２）を設ける。
（ハ）２枚併せの鏡（１）、拡大鏡（２）と鏡固定用支柱（４）を鏡が回転するようにつがい（７）を設ける。
（ニ）台座（３）と鏡固定用支柱（４）を繋ぐ屈曲部に左右２か所、線状に通し穴を設ける。
（ホ）鏡固定用支柱（４）に粘着テープ型面ファスナー（フック側）（６）を通し貼りつける。
（ヘ）粘着テープ型面ファスナー（ループ側）（５）は台座（３）の底面に沿わせ粘着テープ型ファスナー（フック側）（６）と貼り合わせる。
本発明は以上のような構造である。
本発明を使用するときは、腹部に造設されたストマに近い側の大腿に貼り合わされた粘着テープ型面ファスナー（ループ側）（５）と粘着テープ型面ファスナー（フック側）（６）を巻きつけ、鏡（１）が大腿の上に立つように固定する。
鏡（１）には目線から見やすい角度でストマが映りこむように調節する。
【符号の説明】
【０００８】１鏡（表）、２拡大鏡（裏）、３台座、４鏡固定用支柱、
５粘着テープ型面ファスナー（ループ側）、６粘着テープ型面ファスナー（フック側）
７つがい
【図１】
2015126847.tif 000003
【図２】
2015126847.tif 000004
(57)【要約】【課題】メルトダウンして底に穴があいた原子炉において、冷却水が汚染水となって、穴から流出して地下水に混入してしまうことを阻止する。【解決手段】水の代わりに常温よりも融点の高い液体を冷却液として用い、流出した汚染冷却液が流出口および地下土壌中で固化して流出口を塞ぐことにより、汚染冷却液の地下土壌への流出、ひいては地下水への混入を阻止する。冷却液としては、鉛や錫やビスマスのような金属や、液体状態で粘度が小さく放射線に対して安定で目安として融点が20〜30℃沸点が100〜150℃のパラフィンのような有機物などが考えられる。【選択図】図１
2015219052.tif 000002
【特許請求の範囲】
【請求項１】
水の代わりに融点が常温よりも高い液体を冷却液として用い、流出した汚染冷却液が流出口および地下土壌中で固体になり流出口を塞ぐことにより、汚染冷却液の地下土壌への流出、ひいては地下水への混入を阻止することを特徴とする冷却システム。
【発明の詳細な説明】
【技術分野】
【０００１】
原子炉の冷却に用いられた汚染水の流出を阻止する方法に関するものである。
【背景技術】
【０００２】
東日本大震災による原子炉冷却水電源の停止に伴う原子炉の異常な温度上昇のため燃料棒が溶けて原子炉のメルトダウンが起こり、原子炉の底を突き抜けた燃料棒が格納容器の底も突き抜ける事態が発生した。その後、幸にもなんとか冷却水の注入に成功し、原子炉の冷却には成功したが、メルトダウンで生じた原子炉の損傷箇所から冷却水が地下水に浸透する事態が発生している。当然のことながら、地下に流れ出す汚染水は高いレベルの放射性物質に汚染されており、地下水となって海に流出してしまう。海への流出を防ぐためには、汚染水の混じった大量の地下水を汲み出して、別途保管や汚染物除去処理をしなければならず、廃炉処理の中での大きな問題になっている。
【０００３】
底に穴が空いている訳であるから、冷却能力を維持するためには、冷却水は循環して使用されるが地下に抜けていく分を絶えず補給せねばならず、常時その補給分の水が地下に抜け、地下水に混入してしまうという厄介な事態である。
【０００４】
仮に、原発が北極圏などの寒冷地にある場合には、地下に流れ出た汚染水が凍結するので、いわば汚染水の流出口に栓をするようなことになり、汚染水の地下への流出が阻止されることになろう。しかし、福島第一原子力発電所のように流出口および地下土壌の温度が水の融点よりも上である限り、汚染水の流出は続くことになる。
【０００５】
この改善策としては、水の代わりに融点が水よりも高い液体を冷却液として使うことが考えられる。流出口および地下土壌の温度よりも融点が高ければ、流出口および地下土壌では冷却液は液体から固体に変わるので、格納容器の底にある汚染冷却液の流出口を塞ぐことになり汚染液の流出を阻止できる。鉛や錫やビスマスのような金属や、液体状態で粘度が小さく放射線に対して安定で目安として融点が20〜30℃沸点が100〜150℃のパラフィンような有機物などが考えられる。
【先行技術文献】
【特許文献】
【０００６】
【特許文献１】なし
【非特許文献】
【０００７】
【非特許文献１】なし
【発明の概要】
【発明が解決しようとする課題】
【０００８】
解決しようとする問題点は、メルトダウンして底に穴があいた原子炉の冷却のために、水を冷却液とする原子炉の冷却方式では、穴から汚染水が流出して地下水に混入してしまう点である。
【課題を解決するための手段】
【０００９】
水の代わりに融点が常温よりも高い液体を冷却液として用いると、流出した汚染冷却液が流出口および土壌中で固体になり、流出口を塞ぐことになり、汚染冷却液の地下土壌への流出、ひいては地下水への混入を阻止することができるという特徴を有する。
【発明の効果】
【００１０】
本発明の冷却液は、水の代わりに融点が常温よりも高い液体を用いる。その結果、流出した汚染冷却液が流出口および土壌中で固体になり、流出口を塞ぐことになり、汚染冷却液の地下土壌への流出、ひいては地下水への混入、さらには海への流出を阻止することができるという利点を有する。
【図面の簡単な説明】
【００１１】
【図１】図１は水以外の融点が常温よりも高い冷却液を用いる冷却方式の実施方法に関連する説明図であり、冷却水を水以外の融点が常温よりも高い冷却液に変えると実施例になる。（実施例１）
【発明を実施するための形態】
【００１２】
水を冷却液とする場合とあまり変わらないで、冷却を可能としつつ、地下土壌への汚染冷却液の流出を阻止できるように実現した。
【実施例１】
【００１３】
図１は冷却方式の説明図で、水以外の融点が常温よりも高い冷却液を用いると、本発明装置の１実施例の断面図になり、汚染冷却水５と記されている汚染冷却液が流出口近くおよび地下土壌中で固化する機構である。
【産業上の利用可能性】
【００１４】
水を冷却液とする現方式を大きく変えることなく、水以外の融点が常温よりも高い冷却液を用いることにより、汚染冷却液の流出口を塞ぐことにより土壌中への流出阻止の目的に、簡単かつ確実に適用できる。
【符号の説明】
【００１５】
１    原子炉建家
２    格納容器
３    圧力容器
４    冷却水
５    格納容器から流出する汚染水
６    原子炉建家から土壌に流出する汚染水
７    原子炉建家内に溜まった汚染水
８    地下土壌
【図１】
2015219052.tif 000003
(57)【要約】      （修正有）【課題】アーチェリー競技で、人間の眼の錯覚を利用して、的の見え方に変化を生じさせ、狙いやすくする。【解決手段】的３とアーチェリー競技者の眼１の間に色のついたレンズ２を介在させることで、的の色を変える。レンズにアーチェリーの円形の的に合うよう円形に加工された光透過性を持つカラーフィルムを貼りつけることで、等間隔に配置された色付けされた的の中で、特定の色を目の錯覚によって膨張させ、特定の色を目の錯覚によって収縮させる。【選択図】図１
2015219334.tif 000002
【特許請求の範囲】
【請求項１】
アーチェリー競技者の眼に入る色を変化させる弓の照準に使用されるレンズ。
【請求項２】
弓の照準に使用されるレンズに貼りつけることでアーチェリー競技者の眼に入る色を変化させる光を透過させるフィルムでアーチェリー競技の的に合うよう円形に加工されたフィルム。
【発明の詳細な説明】
【技術分野】
【０００１】
この発明はアーチェリー用照準器に使用するレンズ(以下、レンズとよぶ)に関する。
【背景技術】
【０００２】
アーチェリー競技ではレンズを通して色付けされている的を狙う。この時、競技者はサングラスを装着し、目に入る光の色彩、光の量を調整するが行われている。
【発明の概要】
【発明が解決しようとする課題】
【０００３】
人間の眼の錯覚を利用して、色がついているレンズを通すことで、的の見え方に変化を生じさせ、狙いやすくすることを目的とする。
【課題を解決するための手段】
【０００４】
顔に直接装着するサングラスではなく、競技者が使用する弓に装着されているレンズに、倍率だけではなく、色を付けることで、アーチェリー競技者の眼に入る光の色を調節する。的の色はルールによって定められており、それを色のあるレンズを通すことで、違う色に見えるようにする。実際の的は等間隔であるが、人間は目の構造によって、膨張色は膨張して見え、収縮色は収縮して見える。眼に見える的の色をレンズを通すことで変化させる。それによって狙うべき場所がより見やすくなる。
【発明の効果】
【０００５】
等間隔に配置された色付けされた的の中で、特定の色を目の錯覚によって膨張させ、特定の色を目の錯覚によって収縮させ、その結果、狙うべき場所がより強調されて見えるようになる。また、直接顔にサングラスを装着した時と違い、レンズを通してみる的以外の視界の色は変化しない。
【図面の簡単な説明】
【０００６】
【図１】的とレンズとアーチェリー競技者の眼との関係図である。1は競技者の眼、2はレンズ、3は色付けされた的である。
【発明を実施するための形態】
【０００７】
図1のように2の色付けされたレンズを的と競技者の間に置く。レンズはアーチェリーに使用される照準器に取り付けられ固定される。アーチェリー競技者はレンズを通して的を見て狙いをつける。
【０００８】
図1のように2の透明のレンズを的と競技者の間に置く。レンズはアーチェリーに使用される照準器に取り付けられ固定される。レンズにアーチェリーの円形の的に合うよう円形に加工された光透過性を持つカラーフィルムを貼りつける。アーチェリー競技者はフィルムを貼られたレンズを通して的を見て狙いをつける。
【符号の説明】
【０００９】
1はアーチェリー競技者の眼
2はレンズ
3は色付けされている的
4は的本来の色によって反射された光
5は色付けされたレンズを通した後の光
【図１】
2015219334.tif 000003
(57)【要約】【課題】従来は水の計量には計量カップ、お湯を沸かすためにはやかんを使い分けてきた。そのため、やかん、計量カップそれぞれの収納スペースが必要であった。また、適量のお湯を沸かすために、計量カップで水の量を計量してから、その水をやかんに入れお湯を沸かすという手順を踏む必要があり、面倒であった。計量目盛がついたやかんやケトルはあるが、計量目盛の刻み幅が大きい。さらに透明な部品をはめ込んだ構造であるため、素材やデザイン性に制約があった。【解決手段】やかんの内部に２００ミリリットル単位で計量目盛と数値を、１００ミリリットル単位で補助目盛を入れる。【選択図】図１
2015219137.tif 000002
【特許請求の範囲】
【請求項１】
やかん（１）の内部に２００ミリリットル単位で計量目盛と数値（２）を、１００ミリリットル単位で補助目盛（３）を入れる。目盛の入れ方は、打ち出し、刻印、掘削、塗料の塗布等のいずれの方法でもよい。
【発明の詳細な説明】
【技術分野】
【０００１】
本発明は、やかんに計量目盛を付与することで、やかんに計量カップ機能を追加するものである。
【背景技術】
【０００２】
従来のやかんには計量目盛がなく、目分量で水量を調節していた。一部の電気ケトル等では、透明な窓を取り付け、沸かす水量を調節できるものがあった。
【０００３】
しかし、計量できる水量が大まかであったり、透明な部品を取り付けなければならないという欠点があった。
【先行技術文献】
【特許文献】
【０００４】
【特許文献１】特開２００６−１２２６０７号公報
【発明の概要】
【発明が解決しようとする課題】
【０００５】
従来のやかんには次の問題があった。
（イ）、計量目盛がないやかんは、水の量を計量カップで計ってから、それをやかんにいれて沸かしていた。又、沸かす湯の量が少なかったり、余計に湯を沸かしてしまうことがあった。
（ロ）、計量目盛付きのやかんは、透明な物質をやかんにはめ込むものであり、素材やデザインに制約があった。
（ハ）従来の計量目盛付きのやかんは、目盛で図れる水量が大まかであった。（例えば５００ミリリットル単位）
（ニ）、水の計量には計量カップ、お湯を沸かすのはやかんのように機能が別れていたため、計量カップとやかんの二つの収納スペースが必要であった。
（ホ）やかんはキッチンの手近な場所にある場合が多いと考えられるが、用途はお湯を沸かすだけであった。
【課題を解決するための手段】
【０００６】
本発明は、やかん（１）の内部に、２００ミリリットル単位で計量目盛と数値（２）を、１００ミリリットル単位で補助目盛（３）を入れることを最も主要な特徴とする。以上の構成の計量カップ機能付きやかんである。
【発明の効果】
【０００７】
本発明を使用することによって、必要な水量を計測して湯を沸かすことができるため、水、ガスの節約につながる。
また、本発明はやかんに100ミリリットル単位で計測できる目盛を付けることで、やかんで水の計量ができる。これにより計量カップが不要となり、収納スペースの節約にもつながる。
また、やかんは日常的に利用するもので、キッチンの手近な場所にある場合が多いと考えられるため、やかんで水を計量できれば利便性が高まる。
また、耐熱性の透明な物質を利用しないため、やかんの加工を容易化できる。目盛はやかんの内部に入れる方式であり、外見には影響しないのでデザイン性にも優れたやかんを作成することができる。
【図面の簡単な説明】
【０００８】
【図１】本発明のやかんの断面図
【発明を実施するための形態】
【０００９】
やかん（１）の内部に２００ミリリットル単位で数値と目盛（２）、１００ミリリットル単位で補助目盛（３）を入れる。目盛の入れ方は、打ち出し、刻印、掘削、塗料の塗布のいずれの方法でもよい。
【符号の説明】
【００１０】
１    やかん
２    計量目盛と数値
３    補助目盛
【図１】
2015219137.tif 000003
(57)【要約】【課題】６弦しかないギターで複雑なクラシカル奏法演奏の楽譜を五線譜で明記するには、複雑な表記となり一見して即座に演奏したり記憶するのが困難である。ギター演奏の魅力が最大限発揮されるクラシカル奏法習得の最大の障害となっている。【解決手段】見て解りにくく記憶しにくい抽象的な記号表記の五線譜記譜によらないで、ギターの６弦とフレットのイメージで視覚的に表記するイメージギター譜でギター演奏を記譜すれば、右手と左手の動きが一見して理解できるので、複雑なクラシカル奏法が短時間で習得でき、さらに記憶に残りやすいので多くの演奏レパートリーが常時持てる。【選択図】図１
2015219291.tif 000002
【特許請求の範囲】
【請求項１】
１  ギター６弦イメージ楽譜の音符表現方法（音符色付け方法・フレットイメージ楽譜との関連付け方法）・・・表５参照
右手の動き（どの弦をどのタイミングで弾くか）を表示する為のギター６弦イメージ楽譜の音符色付けは、音符の円形部分に行います。全音符と２分音符の色付けは表５のように円形の外側部分に行います。
この色付けで、同じ弦の異なる位置を弾くタイミングが表示できますので、下にあるフレットイメージ楽譜の色に合わせて両手の動きが関連付けられます。
２  ギターフレットイメージ楽譜の表現方法（フレットの表現方法）・・・表６参照
左手で押さえる位置を表示するギターフレットイメージ楽譜の左側部分が分離して表示されているのは、開放弦位置（カポタスト位置）と押さえるフレットのみを表示し、その他のフレットの表示を省略する為です。よりコンパクトで見やすくなります。
カポタストの有るフレット位置はその下の数字（現在は０表示）を入れ替えるだけです。
【表５】
2015219291.tif 000007
【表６】
2015219291.tif 000008
【発明の詳細な説明】
【技術分野】
【０００１】
ギター演奏の為の記譜法とその楽譜
【背景技術】
【０００２】
クラシック音楽を演奏するクラシカル奏法のギター楽譜は、五線譜で記譜されています。すべての弦の音程が固定されているピアノの場合は、五線譜上の音符が表す音程とピアノのすべての鍵盤(＝弦）の音程が完全に一致しているので、五線譜楽譜を見れば直ぐに弾く鍵盤(＝弦）が解る。これに対して６弦しかないギターの場合は、一本の弦で多くの音程を出し弦ごとに出す音程が固定していません。ギター演奏を五線譜で明記するには、音程を出す（右手で弾く弦や左手で押さえるフレット位置を確定する）記号が必要となり、その複雑な楽譜を一見して即座に演奏したり記憶するのが困難で、ギターのクラシカル奏法普及の妨げになっている。
表１（ギター演奏の五線譜記譜楽譜例・・・・・ドレミ楽譜出版社“ギター名曲170選GRADE[B] アルハンブラの思い出”より）
複雑なクラシカル奏法では音が途切れることなく、音楽的に演奏する必要があります。その為には効率良く指を動かすことが絶対条件です。五線譜上の音符が表示する音程を、6弦しかないギターのどの弦のどのフレットを押さえるかは、抽象的な記号表記の五線譜ギター譜では、即座に判断するのは不可能です。
【表１】
2015219291.tif 000003
【先行技術文献】
【非特許文献】
【０００３】
【非特許文献１】2012年10月30日第８刷  株式会社ドレミ楽譜出版社発行“ギター名曲170選GRADE[B]”
【発明の概要】
【発明が解決しようとする課題】
【０００４】
ギター演奏の魅力が最大限発揮されるクラシカル奏法の習得は、従来の理解しにくく記憶しにくい五線譜表記のクラシカル奏法ギター譜では奏法習得に多大の時間がかかり、ほとんどのギター愛好家は単純なコード奏法のレベルで満足しています。手軽で扱いやすい上に小さなオーケストラと言われるギターの魅力が引き出せていません。誰にでも簡単にわかり覚えやすいギターのクラシカル奏法楽譜があれば、ギターの本来持っているすばらしい魅力を多くの人が味わえるはずです。
【課題を解決するための手段】
【０００５】
見て解りにくく記憶しにくい抽象的な記号の五線譜表記のギター楽譜の短所を一掃し、視覚的なギターイメージ表記のギター楽譜で右手と左手の動きが即座に理解でき記憶にとどまり短時間で複雑なクラシカル奏法が習得できます。
表２（イメージギター譜の記譜）
イメージギター譜は、抽象的な記号ではなく、具体的なギターの6弦とフレットのイメージで、右手と左手の動きを視覚的に表現しています。一見して即座に一連の指の動きが理解できるので、音楽的な美しい演奏が、効率よく習得できます。
【表２】
2015219291.tif 000004
【発明の効果】
【０００６】
従来の五線譜表記ギター楽譜は、抽象的な記号を一つづつ読み取り演奏するが、イメージギター譜は、視覚的にギターそのもののイメージで表記しているので複数の連続する動きを一見して理解できる。さらにイメージは記憶にのこりやすいので短時間で多くの曲目演奏を習得できる。
【図面の簡単な説明】
【０００７】
【図１】同一のギター演奏を記譜した五線譜(上)とイメージギター譜(下）
【図２】イメージギター譜の上段部分はギターの６弦（上から１弦〜６弦）のイメージです。右端写真のように基本的に右手の親指が４〜６弦の低音弦を弾き 人差し指が３弦 中指が２弦 薬指が１弦を弾きます。左の音符から順番に音符の円形部分が乗っている弦を音符のリズムで右手で弾きます。音符の円形部分の色分けは、次に述べるギターフレットイメージ楽譜の円形部分の色分けと一致して左手の動きと関連付けられています。
【図３】イメージギター譜の下段部分の横線はギターの６弦、縦線はギターのフレットとフレット番号で、左手で押さえる位置が表されています。１弦上の黒色円形部分と橙色円形部分は上記６弦イメージ譜のリズムで押さえなおしてください。（この楽譜の場合カポタストは付ける必要が無いのですが、便宜上開放弦フレット０の表記とし、そのフレット数字を変えることでカポタストの位置を表示します）
【発明を実施するための形態】
【０００８】
ギターのソロ演奏よりも、ボーカルとのアンサンブル演奏の方が楽しさが倍増する。さらにギターは手軽な楽器なので、場所を選ばずどこでもボーカルアンサンブル演奏が可能で、多くの人と音楽の楽しさを共有できます。しかし残念なことに、現在音楽性の高いボーカルアンサンブルの為のギター楽譜はほとんど存在しません。それ故このイメージギター譜でボーカルアンサンブル用の楽譜を作成し、多くの人に音楽性の高い演奏を楽しんでもらいたい。
【実施例】
【０００９】
シンプルで美しいメロディーとしっとりしたギター伴奏の童謡「十五夜お月さん」のイメージギター譜です。
【表３】
2015219291.tif 000005
【表４】
2015219291.tif 000006
【産業上の利用可能性】
【００１０】
このイメージギター譜の普及で、誰でも簡単に音楽性の高いギタークラシカル奏法を習得しギターの本来持っているすばらしい魅力が発揮できれば、ギターが多くの人の人生の友となり、心豊かな感動にあふれた人生を楽しめます。
【図１】
2015219291.tif 000009
【図２】
2015219291.tif 000010
【図３】
2015219291.tif 000011
(57)【要約】【課題】包丁で食材を切る際に誤って爪や指を切ってしまうことがあり、注意して切ることにより時間がかかっていた。また、切った食材が包丁にくっ付くことがあり、指で剥がすことで余計に時間がかかることがあった。そこで、従来と同様の一連動作が可能で、爪や指の怪我を防ぐとともに切った食材を包丁から自然に剥がすことを可能とした包丁補助具を提供する。【解決手段】包丁をガードし食材剥がし部分を有する前面板と包丁をガードし持ち手と食材押え部分を有する後面板を一体化し、前面板と後面板の間に包丁差込口を設けて、爪や指の怪我を防ぐとともに包丁を上げる際に自然に切った食材を包丁から剥がすことを可能とし、ガード板を透明にすることで不安感をなくして安全面にも配慮した包丁補助具。【選択図】図１
2015109902.tif 000002
【特許請求の範囲】
【請求項１】
包丁をガードし食材剥がし部分を有する前面板と包丁をガードし持ち手と食材押え部分を有する後面板を一体化し、前面板と後面板の間に包丁差込口を設けて、爪や指の怪我を防ぐとともに包丁を上げる際に自然に切った食材を包丁から剥がすことを可能とし、ガード板を透明にすることで不安感をなくして安全面にも配慮した包丁補助具。
【発明の詳細な説明】
【技術分野】
【０００１】
本発明は、包丁で食材を切る際に、爪および指を切るのを防ぎ、包丁にくっ付いた食材を自然に剥がす、包丁補助具に関するものである。
【背景技術】
【０００２】
従来、包丁で食材を切る際に誤って爪や指を切ってしまうことがあり、注意して切ることにより時間がかかっていた。また、切った食材が包丁にくっ付くことがあり、指で剥がすことで余計に時間がかかることがあった。
【先行技術文献】
【特許文献】
【０００３】
【特許文献１】特開２００１−１２０８６３号公報
【特許文献２】特開２００４−１６７０８９号公報
【特許文献３】特開平０７−２１３４４３号公報
【特許文献４】特開平１０−０１４７９０号公報
【発明の概要】
【発明が解決しようとする課題】
【０００４】
従来より以下のような問題点があった。
（イ）  包丁で食材を切る際に誤って爪や指を切ってしまう。
（ロ）  切った食材が包丁にくっ付き、指で剥がすことがある。
（ハ）  （イ）（ロ）により食材を切るのに時間がかかる。
【課題を解決するための手段】
【０００５】
包丁と指の間に食材を押さえて爪および指をガードする板を設けて持ち手を付けることにより爪や指の怪我を防止する。また、包丁の前面に切った食材を剥がすガード板を設け、切った食材が包丁を上げた際に剥がれるようにする。
包丁の前面と後面のガード板を一体化することにより、板をずらすことで包丁も同じくずれるようにし、包丁の前面のガード板は、後面のガード板よりも若干短くすることで、食材に引っかからないようにする。
【発明の効果】
【０００６】
包丁と指の間のガード板により爪や指の怪我を防止し、包丁の前面のガード板により包丁を上げた際に切った食材が自然と剥がれるようになる。それに加え、持ち手をずらすことでガード板と包丁が同じくずれるので一連の動作が速くなる。ガード板を透明にすることで不安感をなくして安全面にも配慮する。
【図面の簡単な説明】
【０００７】
【図１】本発明の斜視図
【図２】本発明の使用例の斜視図
【図３】本発明の正面図
【図４】本発明の背面図
【図５】本発明の上面図
【図６】本発明の側面図
【発明を実施するための形態】
【０００８】
以下、本発明の実施の形態について説明する。
（イ）  包丁をガードし食材剥がし部（６）を有する包丁ガード前面板（１）。
（ロ）  包丁をガードし食材押え部（５）を有する包丁ガード後面板（３）。
（ハ）  人差し指、中指、薬指を入れて保持できる持ち手（４）。
本発明は、以上で構成され、持ち手（４）は包丁ガード後面板（３）の下部に接着し、包丁ガード前面板（１）と包丁ガード後面板（３）は間に包丁が入る隙間を空けて接着して包丁差込口（２）を設ける。
本発明を使用する際は、持ち手（４）の中に人差し指、中指、薬指を入れて持ち手（４）の外側を小指と親指でささえ食材を食材押え部（５）で軽く押えて包丁差込口（２）から包丁（７）を差込み、従来の食材切断動作を行う。
包丁（７）を下ろす際には包丁ガード後面板（３）により爪や指の怪我を防ぎ、包丁（７）を上げる際に包丁ガード前面板（１）下部の食材剥がし部（６）で包丁（７）から食材を自然に剥がすことができる。
包丁ガード前面板（１）と包丁ガード後面板（３）は透明であり、包丁（７）や食材が見えるため、不安感がなく安全に包丁（７）の上げ下ろしが可能。また、持ち手（４）をずらすことにより、包丁ガード前面板（１）と包丁ガード後面板（３）と包丁（７）が同時にずれるため、従来の切断の一連動作に変わり無く、より迅速に作業が行える。
【符号の説明】
【０００９】
１    包丁ガード前面板
２    包丁差込口
３    包丁ガード後面板
４    持ち手
５    食材押え部
６    食材剥がし部
７    包丁
【図１】
2015109902.tif 000003
【図２】
2015109902.tif 000004
【図３】
2015109902.tif 000005
【図４】
2015109902.tif 000006
【図５】
2015109902.tif 000007
【図６】
2015109902.tif 000008
(57)【要約】      （修正有）【課題】風呂敷に取り付けるだけで、中に物を入れても形が保て、開口部の開閉が可能な使いやすいバッグにできる、補助具を提供する。【解決手段】板状、棒状の剛体の両端に穴をあけた本体１を２本用いて穴２に風呂敷３の四隅を通し、それぞれを結び、バッグとして使う。そのバッグ補助具が、剛体であるが故に、一定の空間が保てる。そして、マグネットをその補助具に取り付けることにより、開口部の開閉が可能になることが、特徴である。【選択図】図３
2015109980.tif 000002
【特許請求の範囲】
【請求項１】
両端に任意の形状の穴を有する二本の長板または棒状の剛体からなる、風呂敷バッグ補助具。
【請求項２】
前記二本の長板または棒状の剛体における互いに隣り合う内側面に、マグネット、スナップ、または面ファスナーを有する、請求項１に記載の風呂敷バッグ補助具。
【発明の詳細な説明】
【技術分野】
【０００１】  本発明は、風呂敷や四辺形のシートを用いて、形状を維持したバッグとして使用するための補助具に関する物である。
【背景技術】
【０００２】  従来の風呂敷や四辺形のシートを利用した袋類は、縫製や裁断をしたり取っ手を縫いつけたりして形状を形成するものが多かった。また、バッグ内に入れた荷物の重みでバッグの形状変形が大きかった。また、開口部を閉じることができなかった。
【先行技術文献】
【特許文献】
【０００３】
【特許文献１】  特開２０１１−１４７６３４
【特許文献２】  特開２００８−２０１４６９
【実用新案文献３】
実開平０７−０２３４２４
【発明の概要】
【発明が解決しようとする課題】
【０００４】  風呂敷やスカーフで袋を成形する目的で使用してしまうと、裁断や、縫製が必要で、元の形に戻すことが困難であった。また荷物の重みにより、バッグの形状が大きく変形してしまう。開口部が閉じることができないため、バッグの中身が見えてしまったり、バッグを置いたときや、落下させたときに荷物が飛び出しやすかった。
【課題を解決するための手段】
【０００５】  本発明は長板または棒状物の両端に風呂敷や四辺形のシートの四隅を通せる穴の開いた二本の剛体を用いる。その剛体の隣り合う内側の面に、マグネットやスナップ、面ファスナーなどを取り付け、その２本の剛体に、風呂敷や四辺形のシートの四隅を通しそれぞれを結び取り付ける。
【発明の効果】
【０００６】  本発明を利用することで、風呂敷や四辺形のシートを裁断や縫製することなく、バッグとして使用することができる。なおかつ、本発明が剛体であるため、突っ張りの効果を持ち一定の形状が維持できる。また、開口部が、四辺形になるので、バッグからの物の出し入れがしやすくなる。
開口部が閉じられることで、バッグを置いたり、落下させたりしたときに、バッグの中の荷物が、見えてしまったり、飛び出してしまったりすることを防止できる。
【図面の簡単な説明】
【０００７】
【図１】風呂敷バッグ補助具本体の平面図
【図２】穴に風呂敷を通している図
【図３】使用状態の図
【図４】マグネットの位置図
【図５】風呂敷バッグを開けたときの図
【図６】風呂敷バッグを閉じたときの図
【発明を実地するための形態】
【０００８】  木材、竹、金属、プラスチックなどを加工した、長板または棒状の剛体でできた、本体（１）により、一対が構成され、本体（１）の両端に任意の形状の穴（２）が設けられたものである。
【実施例】
【０００９】  以下、添付図面に従って、一実施例を説明する。風呂敷（３）の四隅の隣り合う二カ所を本体の穴（２）に一カ所ずつ通し、それを結び、残りの二カ所も同じようにもう片方の本体の穴に通し結ぶ。風呂敷の両方の結び目（４）を止まるまで左右対称に引き上げる。図３の状態がバッグ使用時の状態である。【００１０】  本体（１）の隣り合う内側の面にマグネット（５）が埋め込まれ接着されており、それにより図５、図６で示すように開口部の開閉ができる。
【符号の説明】
【００１１】  １  本体
２  風呂敷通し穴
３  風呂敷
４  結び目
５  マグネット
【図１】
2015109980.tif 000003
【図２】
2015109980.tif 000004
【図３】
2015109980.tif 000005
【図４】
2015109980.tif 000006
【図５】
2015109980.tif 000007
【図６】
2015109980.tif 000008
(57)【要約】【課題】ペット用ベッドを清潔に保つため掃除、洗濯が容易な商品を提供する。【解決手段】ベッドの外枠の側面に付けた留め具によって箱型から平面に広げることができる。クッション部分は、棒状にしたクッション数本をネットに入れ形成。掃除、洗濯が容易な形に各パーツを分割したペット用ベッドである。【選択図】図１
2015109809.tif 000002
【特許請求の範囲】
【請求項１】
布製の箱型ベッドの側面を留め具で自立させ、立体から平面に広げることができるペット用ベッド。
【請求項２】
クッション部分はネットの袋に棒状のクッションを数本入れて構成した。
【発明の詳細な説明】
【技術分野】
【０００１】本発明は布製の箱型ベッドの側面に付けた留め具によって箱型から平面に広げることができる。【０００２】クッション部分は、棒状にしたクッション数本でをネットに入れ形成。掃除、洗濯が容易な形に各パーツを分割したペット用ベッドである。
【背景技術】
【０００３】ペット用ベッドは抜け毛や汚れが付きやすいが、デザイン性や保温性が重視されたものは多かったが、型崩れの懸念から洗濯できるものが少なかった。
【発明の開示】
【発明が解決しようとする課題】
【０００４】（イ）ペットの毛がベッドにつくが立体構造のものはローラー型粘着テープや掃除機がか      けにくい。
（ロ）クッション部分は型崩れ、乾きにくいなどの懸念から洗濯しずらい。
本発明は、以上のような、欠点を無くすためになされたものである。
【課題を解決するための手段】
【０００５】布製の箱型ベッドの側面の縦の辺は縫い合わせず、留め具で自立させることで掃除する際、立体から平面に広げることができる
留め具をはずし広げることによりローラー型粘着テープをかけやすくした（１）。
ベッドのクッション部分は、棒状クッションを数本ネット状の袋に入れ形成した。汚れたらそのまま洗濯機に入れることが可能で、洗濯による型崩れを防ぐことができる（２）
クッション部分にはネットから抜け毛が入らないよう布をかける。
本発明は、以上の構成よりなる、掃除、洗濯がしやすい清潔なペット用ベッドである。
【発明の効果】
【０００６】布製の箱型ベッドは側面の留め具をはずし広げることにより、ローラー型粘着テープがかけやすい。又洗濯する場合でも型崩れせず干しやすい。
ベッドのクッション部分は、数本の棒状クッションをネットに入れ形成することにより、そのまま洗濯機に入れ洗濯する事が可能。クッションが棒状であることで型崩れを防ぎ、乾きやすい。
クッション部分にはネットから抜け毛が入らないよう布をかける。
パーツが分かれていることによって掃除、洗濯がしやすい。
またベッドの形成も容易である。
【実施例１】
【０００７】ベッド外枠（１）の留め具（２）、（３）により箱型になる。棒状のクッション（４）数本をネット状の袋（５）に入れ布（６）を掛け座面部分を形成する。
【図面の簡単な説明】
【０００８】
【図１】本発明のベッド側面２面を広げた際の立体図である。
【符号の説明】
【０００９】１  ベッド外枠
２  留め具
３  留め具を着けたベロ
４  棒状クッション
５  ネット状袋
６  クッションの上に掛ける布
【図１】
2015109809.tif 000003
(57)【要約】      （修正有）【課題】外出時に家電製品などの電源切り忘れに気が付いたとき、携帯端末からの遠隔操作で該当電源を切断し電気火災を防止する。【解決手段】携帯端末桟７でボタン操作を行い端末機が指令を受け高電圧発生回路器本体６が作動して安全器のヒューズを飛ばして家電製品４への供給電源をＯＦＦし、電気火災を防ぎます。【選択図】図１
2015033127.tif 000002
【特許請求の範囲】
2015033127.tif 000004
【発明の詳細な説明】
2015033127.tif 000003
【図１】
2015033127.tif 000005
【図２】
2015033127.tif 000006
【図３】
2015033127.tif 000007
【図４】
2015033127.tif 000008
【手続補正書】
【提出日】平成25年12月6日(2013.12.6)
【手続補正１】
【補正対象書類名】明細書
【補正対象項目名】全文
【補正方法】変更
【補正の内容】
【発明の詳細な説明】
【技術分野】
【０００１】
【背景技術】
【０００２】従来、家電製品と携帯電話端末機とは別々になっていた。
家電製品はすべて人の手によりたよっていたが電気火災があまりへっていないのが現状であります。
【発明の効果】
【０００６】外出時に冷蔵庫、家電製品などにスイッチがＯＮになっている事に気づいた時に高電圧発生回路が作動して安全器のヒユーズをとばして家電製品に電気が流れなくなり、安全が保たれます。これはガスがもれてガス爆発を引き起こしません。携帯電話機端末による、えんかく操作なくてはなりません。
【図面の簡単な説明】
【０００７】
【図１】側面図  動作原理図  （４）家電製品（５）電源プラグ（６）高電圧発生回路（７）携帯電話端末機
【図２】平面図  （１）バッテリー（２）電子回路基板（３）家電製品接続線
【図３】ヒユーズ回路
【図４】高電圧発生回路図  １５０Ｖ程の高電圧を発生するとおもいます。
【発明を実施するための形態】
以下、本発明を実施するための形態について説明する。
高電圧発生回路（１）バッテリー（２）高電圧発生回路基板（３）家電製品接続線（４）家電製品（５）家電製品電源プラグ（６）高電圧発生回路器本体（７）携帯電話端末機である。
本発明は、以上のような構造である。
これを使用すると、外出時の家電製品のＯＮ・ＯＦＦを携帯電話端末機により、家電による電気火災を防止することができます。
【手続補正書】
【提出日】平成26年8月20日(2014.8.20)
【手続補正１】
【補正対象書類名】明細書
【補正対象項目名】全文
【補正方法】変更
【補正の内容】
【発明の詳細な説明】
【技術分野】
【０００１】この発明は、携帯電話機  高電圧発生回路による作動で電源をＯＦＦにしょうとする装置に関するものである。
【背景技術】
【０００２】従来、携帯電話端末機と家電製品の安全装置は別々になっていた。
【先行技術文献】
【０００３】
【特許文献１】
【発明の概要】
【発明が解決しようとする課題】
【０００４】これは、次のような欠点があった。
従来、テレビ、掃除器、洗濯機などを消し忘れの状態で外出してしまった時に電気火災の恐れがあり
困っていた。
本発明は以上のような欠点をなくすためになされたものである。
【課題を解決するための手段】
【０００５】（１）バッテリー（２）電子回路（３）家電製品接続線（４）ヒュウーズ本体（５）家電製品電源プラグ（６）高電圧発生回路（７）携帯電話端末を設ける。
本発明は、以上の構成よりなる電源瞬時ＯＦＦ機である。
【発明の効果】
【０００６】携帯電話端末機が作動し、高電圧発生回路により、ヒュウーズ回路の切断により、電気エネルギーゼロになることにより電気火災を完全防止。こりにより家電製品による火災の災害を防止します。
【図面の簡単な説明】
【０００７】
【図１】本発明の側面図である。
【図２】本発明の平面図である。
【図３】本発明の電子回路である。
【図４】本発明のヒュウーズ本体である。
【発明を実施するための形態】
【０００８】以下、本発明を実施するための形態について説明する。
（１）バッテリー５ボルト直流電源（２）電子回路基板１５０ボルト程度の電圧を発生させ、（４）のヒュウーズ器のヒュウーズを飛ばします。（５）家電製品に電気が流れないシステム。
本発明は、以上のような構造である。
【産業上の利用可能性】
【０００９】この装置は、遠隔操作により作動し、高電圧発生回路によりヒュウーズを飛ばします。こりにより、電気火災の発生を軽減できます。
応用例としては、各家庭はもとより、幅広い範囲に使用されつずけます。そして、各産業基盤に役に立ちます。
経済面に於いては大変より多く人々の命を救うでしょう。
【符号の説明】
【０００１０】１  バッテリー
２  電子回路基板
３  家電製品接続線
４  ヒュウーズ
５  家電製品電源プラグ
６  高電圧発生器
７  携帯電話端末機
(57)【要約】      （修正有）【課題】大事な書類を雨、風等により濡れたり、失くしたりせずに、安心して使用できるバインダーを提供する。【解決手段】軽量の各書類ケースの裏に軽量のバインダー本体５又はバインダーの留め金６を取付ける。【選択図】図５
2015033842.tif 000002
【特許請求の範囲】
【請求項１】
ケース（１〜４）の裏の面に、バインダー、または、バインダーの留め金を取り付けたものを特徴とする。
【発明の詳細な説明】
【技術分野】
【０００１】  この発明は、軽量の各ケースの裏に軽量のバインダー本体、又はバインダーの留め金のみをケースの裏に取付けることにより、大事な書類を雨、風等により濡れたり失くしたりせず、安心して使用できる。バインダーに紙を置き長時間字を書いたり、絵を描いたりしても、疲れない構造のケースに関するものである。
【背景技術】
【０００２】  従来は、バインダーはバインダーとして使用し、ケースはケースとして使用し、それぞれの独自の役目しか果たせなかった。
【発明の概要】
【発明が解決しようとする課題】
【０００３】  これは、次のような欠点があった。バインダーは、板の上に留め金を付けたもので、この留め金に紙を挟み、字を書いたりするものであるが、雨が降れば、大事な紙は濡れてしまう、仕方がないと誰もがあきらめていた。突然の雨に大事な紙が濡れないように出来ないかと考えた結果、バインダーにケースを取付けられないか、普通の大きさのケースに書類等を入れるとかなりの重さになり、バインダーに紙を挟み、左手に持って字を書いたり、絵を描こうとしても、子供、婦女子にあっては到底長時間ケースを持ちつづけ字を書いたり、絵を描いたりすることが困難であり、厚みのある大きなケースにバインダーが付いていても、書類を入れて持ち運ぶ際、重たすぎると誰も初めから使用する気にならない。
以上のような課題がありました。
本発明は、以上のような欠点をなくすためになされたものである。
【発明が解決するための手段】
【０００４】  本発明は、上記の課題を解決するためにケースの厚みは極力薄く、軽く、子供、婦女子にあっても全く違和感なく長時間片手に持ち、字が書けるようにする。ケースの裏面には薄く、軽い、軽量のバインダーを付けるか、または、バインダーの留め金部分を取付け、ケースに確実に固定する。
【発明の効果】
【０００５】  以上説明したように、本発明に係るバインダー付きケースは、厚みは極力薄く、軽量にし左手１本で長時間持ち、字を書いたり、絵を描いたりすることが可能である。このケースが大きければ大きい程、左腕に負担がかかり、このような重たいケースは全く役にたたない。
【図面の簡単な説明】
【０００６】
【図１】本発明のケース、キャリングケースの斜視図である。
【図２】本発明のケース、ファイルケースのフタを開けた状態の斜視図である。
【図３】本発明のケース、ハンドファイルのフタを開けた状態の斜視図である。
【図４】本発明のケース、ドキュメントファイルのフタを開けた状態の斜視図である。
【図５】図１〜図４までの各ケースの裏に取付けるバインダーの斜視図である。
【課題を実施するための形態】
【０００７】  以下、本発明を実施するための形態について説明する。
ケース（１〜４）の裏の面に、軽量のバインダー（５）を取付けるか、または、バインダーの留め金部分（６）を取付け、ケースに確実に固定する。
本発明は、以上のような構造であるが、また、あらゆるケースにも取付け可能とする。
本発明を使用するといきは、ケースは、軽量になるため、字を書いたり、絵を描いたりすることが楽しくなり、急な雨が降ってもケースがあるので、いつも安心であり、大事な書類を無くすこともない。
【符号の説明】
【００８】１  キャリングケース
２  ファイルケース
３  ハンドファイル
４  ドキュメントファイル
２  バインダー
３  バインダーの留め金部分
【図１】
2015033842.tif 000003
【図２】
2015033842.tif 000004
【図３】
2015033842.tif 000005
【図４】
2015033842.tif 000006
【図５】
2015033842.tif 000007